(57)【要約】【課題】  体外血液処理器の貯血槽における血液量の視認性の問題を解決し、かつ血液処理器血減処理器等の稼動域を拡大することにより自由度の高いレイアウト性を有する体外血液処理器の提供。【解決手段】  貯血槽、血液処理器、前記貯血槽と血液処理器を連結し、かつ相互に回転可能な複数の管状部材よりなる管状連結具および該管状連結具を前記貯血槽の外周面に沿って回転可能に保持する貯血槽の外周面に設置された前記管状連結具の保持部材で少なくとも構成されたことを特徴とする体外血液処理器【選択図】図１
2005253818.tif 000002
【特許請求の範囲】
【請求項１】
貯血槽、血液処理器、前記貯血槽と血液処理器を連結し、かつ相互に回転可能な複数の管状部材よりなる管状連結具および該管状連結具を前記貯血槽の外周面に沿って回転可能に保持する貯血槽の外周面に設置された前記管状連結具の保持部材で少なくとも構成されたことを特徴とする体外血液処理器。
【請求項２】
前記管状連結具が透明性合成樹脂で構成されたことを特徴とする請求項１に記載の体外血液処理器。
【請求項３】
前記管状連結具が相互に回転可能に連結された複数の管状部材で構成されたことを特徴とする請求項１または２に記載の体外血液処理器。
【請求項４】
前記管状連結具が伸縮可能、かつ長さを自由に調節可能に構成されたことを特徴とする請求項１〜３のいずれかに記載の体外血液処理器。
【請求項５】
前記管状連結具の一部が他軸方向に折り曲げ可能に構成されたことを特徴とする請求項１〜４のいずれかに記載の体外血液処理器。
【請求項６】
前記管状連結具の折り曲げ形状がＬ字状形状であることを特徴とする請求項５に記載の体外血液処理器。
【請求項７】
前記管状連結具の縦軸方向長さが、該管状連結具の存在により血液処理器が貯血槽の下端より下に配置可能な程度の長さであることを特徴とする請求項１〜６のいずれかに記載の体外血液処理器。
【発明の詳細な説明】
【技術分野】
【０００１】
本発明は体外血液処理器、特に体外循環を必要とする心臓及び大血管手術において使用する血液処理器に関する。
【背景技術】
【０００２】
従来、体外血液処理器の技術分野においては、手術室内の各種機器の配置スペースを確保するための目的のために、体外血液処理器を構成する部材間の距離を短くすることが望まれており、例えば貯血槽の底面部に人工肺などの血液処理装置を一体化したものが提案されている。ただ、血液回路を操作する操作者は血液処理に際して貯血槽中の貯血量を確認する必要があるが、このような貯血槽と血液処理器を一体化した体外血液処理器においては、前記のように貯血槽の底面部に人工肺などの血液処理装置が固定されているため、例えば貯血槽の貯血量の最小量目盛りが前記血液処理装置より下部に存在するような構成のものにおいては、貯血量を確認すること、特に貯血量の最小量目盛りを確認することは、操作者の視認方向によっては困難であった。
【０００３】
また、底面の一部を偏心させ下方に突出した突出部を有する貯血槽の底面部における前記突出部の背面側に、前記血液処理器と貯血槽を相対的に回転させる機構により、直接に接合して構成され前記体外血液処理器が提案されている（特許文献１）。そして、この体外血液処理器は、貯血槽に対して回転可能に接合されているため、貯血槽の突出部を操作者に向けた状態で血液処理装置を所望の方向に向けて設置することは可能となる（特許文献１の００１９段落）。
しかしながら、このような貯血槽と血液処理器が相互に回転可能な体外血液処理器においては、前記血液量の視認性確保などのために操作者が貯血槽の突出部を操作者に向けるという余分な操作が必要となる。さらに、貯血槽の底面と血液処理装置の上部が相互に直接に接続して回転するだけの機構のため、場合によっては血液処理器自体が邪魔になり、レイアウト上問題となることがあった。
【０００４】
【特許文献１】第３２３１０８３号。
【発明の開示】
【発明が解決しようとする課題】
【０００５】
本発明は、前記体外血液処理器の貯血槽の血液量の視認性の問題を解決し、かつ血液処理器血減処理器等の稼動域を拡大することにより自由度の高いレイアウト性を有する体外血液処理器の提供にある。
【課題を解決するための手段】
【０００６】
本発明は、貯血槽、血液処理器、前記貯血槽と血液処理器を連結し、かつ相互に回転可能な複数の管状部材よりなる管状連結具および該管状連結具を前記貯血槽の外周面に沿って回転可能に保持する貯血槽の外周面に設置された前記管状連結具の保持部材で少なくとも構成されたことを特徴とする体外血液処理器を提供することにより前記技術課題を解決することができた。
特に本発明の体外血液処理器は、貯血槽と血液処理器を一体化した体外血液処理器において、前記貯血槽と血液処理器を相互に回転可能に連結する管状連結具および該管状連結具を前記貯血槽の外周面に沿って回転可能に保持する貯血槽の外周面に設置された前記管状連結具の保持部材を設けることにより、従来の体外血液処理器に比較してより広い血液処理器の設置位置を選択することが可能となる。
【０００７】
また、前記管状連結具はそれ自体を構成する複数の管状連結部材が相互に回転可能であることに加えて、複数の管状連結部材が相互に伸縮可能、かつ長さを自由に調節可能であることにより、公知の体外血液処理器に比較して血液処理器の稼動域の著しい拡大が可能となる。この血液処理器の稼動域は前記管状連結具の一部を他軸方向に配置が可能な構成とすることにより、さらに血液処理器の稼動域を拡大させることが可能となる。
さらに、前記管状連結具を透明性部材、例えば透明性の合成樹脂で構成することにより、操作者は体外血液処理器に対していずれの方向からも貯血槽の貯血量を容易に確認することができる体外血液処理器を提供することができる。
【０００８】
以下、本発明の体外血液処理器を図面に基づいて具体的に説明する。
本発明の体外血液処理器の全体構成。
図１に示すように貯血槽１、該貯血槽１の側面に沿って、管状連結具３が血液処理器４を担持した状態で移動できる管状連結具３の保持部材２、前記貯血槽１と血液処理器４を連結し、かつ相互に回転可能な複数の管状部材よりなる管状連結具３および血液処理器４を少なくとも有して構成される。
【０００９】
保持部材
保持部材２は前記管状連結具３を前記貯血槽の外周面に沿って回転可能に保持できる構造である。ただし、保持部材２の貯血槽１の取付け個所は、前記管状連結具３を前記貯血槽１の外周面に沿って回転可能に保持できるように取付け可能な個所であれば貯血槽１の外周面に限定されるものではなく貯血槽の任意の個所であってよく、例えばそのような個所として貯血槽の上部縁が挙げられる。
また、前記管状連結具の保持部材２と管状連結具３は、一度決定した位置から他の位置に移動、すなわち回転にはある程度の力を要するようにするか、ロック機構をつけることにより、一度決定した位置関係が変動し難いようにするのが安全上好ましい。ただし、前記管状連結具の保持部材２は、図１に示すような貯血槽１の側面全体に沿って設けられたものである必要はなく、例えば貯血槽１の側面の一部に沿って設けられてもよい。
【００１０】
管状連結具
管状連結具３は図２に示すように管状連結部材である外筒３１と該外筒３１中に軸方向に相互に回転可能に嵌合された管状連結部材である内筒３２で構成され、また、貯血槽の血液量を確認する視認性の点から透明性の合成樹脂で形成されたものが好ましい。なお、前記透明性とは、操作者が前記管状連結具を通して貯血槽の確認ができる程度以上の透明性を指す。
前記管状連結具３を構成する外筒３１と内筒３２は、上述のように相互に回転可能に嵌合されるとともに、さらに好ましくは外筒３１と内筒３２は図２のＡに示すように伸縮可能な構造のものである。
前記外筒３１と内筒３２を相互に収縮可能な構造としては、例えば図２に示すように内筒３２に対して外筒３１の一部を締め付け部材４により締め付けと該締め付け部材による締め付けの開放を行うことにより長さを自在に調節可能なものが挙げられる。その他、前記外筒３１と内筒３２を相互に収縮可能な構造としては、例えばネジ機構を応用して締め付けることによるもの、あるいは釣り竿のようにテーパー構造による嵌合構造のものが挙げられる。特にテーパー構造による嵌合構造のものは、長さの調節と前記外筒３１と内筒３２を相互に回転可能とすることができるので好ましい。
【００１１】
また、前記管状連結具はその一部が他軸方向に折り曲げ可能に構成されたものであっても良い。例えば図３に示す管状連結具は外筒である管状連結部材３３と内筒である管状連結部材３４とを締め付け部材５１の締め付けあるいは開放により伸縮（伸縮Ｄ）および固定可能で、かつ軸回転（回転Ｄ）も可能であるが、さらに管状連結具はその一部が水平方向に折り曲げ、および該折り曲げ形状の保持されるとともに、該折り曲げ部分も外筒である管状連結部材３６と内筒である管状連結部材３５とを締め付け部材５２の締め付けあるいは開放により伸縮（伸縮Ｅ）および固定可能で、かつ軸回転（回転Ｆ）も可能である。
さらに前記管状連結具の縦軸方向長さが、該管状連結具の存在により血液処理器が貯血槽の下端より下に配置可能な程度であることが、あらゆる条件下でガス側の圧により、血液側に気体が流入しないようにするための観点からより好ましい。
【産業上の利用可能性】
【００１２】
本発明の体外血液処理装置は、前記貯血槽と血液処理器を相互に回転可能かつ伸縮可能な複数の管状部材よりなる管状連結具で連結しするとともに該管状連結具を前記貯血槽の外周面に沿って回転可能とすることにより血液処理器血減処理器等の稼動域を拡大することにより自由度の高いレイアウト性を有する体外血液処理器が提供できる。
また本発明の体外血液処理装置は、前記管状連結具を透明なものとすることにより公知の貯血槽と血液処理器を固定一体化あるいは相互に回転可能に接合した体外血液処理装置において問題となる操作中における貯血槽における血液量の確認を行う際の視認性をほとんど問題とならない程度に改善できるし、さらにこの視認性は前記管状連結具を透明なものとすることに加えて、上述のように該体外血液処理装置が自由度の高いレイアウト性を有することを利用して、前記視認性は一層改善することができる。
【図面の簡単な説明】
【００１３】
【図１】貯血槽、血液処理器および管状連結具の結合状態を示す図である。
【図２】血液処理器を担持した管状連結具の回転および伸縮機能の一例を示す図である。
【図３】血液処理器を担持した他の配置例の管状連結具の回転および伸縮機能の一例を示す図である。
【符号の説明】
【００１４】
１    貯血槽
２    管状連結具の保持部材
３    管状連結具
３１  管状連結部材
３２  管状連結部材
３３  管状連結部材
３４  管状連結部材
３５  管状連結部材
３６  管状連結部材
４    血液処理器
４１  血液処理器
４２  血液処理器
５    管状連結具の締め付け具
５１  管状連結具の締め付け具
５２  管状連結具の締め付け具
Ａ    伸縮機能
Ｂ    回転機能
Ｃ    回転機能
Ｄ    伸縮機能
Ｅ    伸縮機能
Ｆ    回転機能
【図１】
2005253818.tif 000003
【図２】
2005253818.tif 000004
【図３】
2005253818.tif 000005